(57)【特許請求の範囲】
【請求項１】
背と、前記背の下端部中央に設けられた基部と、着座可能な使用位置と跳ね上げられた起立位置との間で揺動可能に前記基部に支持された座と、前記基部に連結されて前記背と前記座とを支持する脚部とを具えてなる座跳ね上げ式の椅子であって、
前記基部は、前記背と一体に形成されており、
前記座が、前記使用位置において前記基部の両側方を通って前記背まで延在し、
前記背と前記使用位置の前記座とが、連続的な凹曲面形状を形成する椅子。
【請求項２】
前記座に、前記使用位置で前記基部に当接する当接部が設けられており、
前記基部に、前記当接部と当接して前記座を前記使用位置で係止するストッパー部が設けられている、請求項１に記載の椅子。
【請求項３】
前記座を前記使用位置から前記起立位置に向けて常時付勢する付勢手段を具え、
前記付勢手段が、前記座の内部に収納されている、請求項１または請求項２に記載の椅子。
【請求項４】
前記付勢手段がガススプリングである、請求項３に記載の椅子。
【請求項５】
前記基部が、前記脚部に対して水平方向に旋回可能に連結されている、請求項１から請求項４のいずれかに記載の椅子。
【発明の詳細な説明】
【技術分野】
【０００１】
本発明は、移動観覧席や競技場の観客席等に好適に使用される座跳ね上げ式椅子に関する。
【背景技術】
【０００２】
従来、移動観覧席や競技場の観客席等に使用される座跳ね上げ式椅子には、背と、座と、背の両側に設けられた座支持部材とを備え、座が着座可能な使用位置と跳ね上げられた起立位置との間で揺動可能に座支持部材に支持されているものが用いられている。また、使用位置で座を係止するために、座の起倒範囲を規制するストッパー機構が座支持部材の内部または座と座支持部材との間に設けられている（例えば非特許文献１参照）。
【非特許文献１】愛知株式会社、「ａｘｏｎａ  ＡＩＣＨＩ  ＣＯＬＬＥＣＴＩＯＮ」、２００５年１１月１０日、ｐ．３０４
【発明の開示】
【発明が解決しようとする課題】
【０００３】
しかし、従来の座跳ね上げ式椅子では、座が座支持部材を介して背に取り付けられるという構造であるために座と背との間に隙間が生じ易く、着座者の臀部から腰部にかけての部分をその曲面に沿った面で支持することができず座り心地の良さが十分であるとは言えなかった。また、競技場のような横方向に複数個の椅子を設置する場所では、椅子の間の間隔（ピッチ）を変えて設置可能な椅子にするためには各椅子の両側部に座支持部材を設ける必要があるため部品点数が増加してしまい、一方、部品点数を削減するために一つの座支持部材を隣接する椅子が共有するように構成すると、ピッチが変更できないだけでなく、設置現場で椅子の組立て作業を行う必要が生じるので設置作業が煩雑になるという問題があった。
【課題を解決するための手段】
【０００４】
本発明は、部品点数が少なく組立てが容易で、配置の自由度が高い、座り心地の良い座跳ね上げ式椅子を提供するものである。
【０００５】
すなわち本発明の座跳ね上げ式の椅子は、背と、前記背の下端部中央に設けられた基部と、着座可能な使用位置と跳ね上げられた起立位置との間で揺動可能に前記基部に支持された座と、前記基部に連結されて前記背と前記座とを支持する脚部とを具えてなり、前記基部は、前記背と一体に形成されており、前記座が、前記使用位置において前記基部の両側方を通って前記背まで延在し、前記背と前記使用位置の前記座とが、連続的な凹曲面形状を形成していることを特徴とするものである。なお、椅子およびその各部分について上下・左右・前後等というときは、当該椅子に前向きに着座した人から見ての方向を意味する。
【発明の効果】
【０００６】
本発明の座跳ね上げ式椅子によれば、座が背の下端部中央に設けられた基部に支持されているので、背および座の両側面に座支持部材を設ける必要が無い。これにより、部品点数およびコストを削減することができると共に、設置現場において座支持部材と座および背とを組み立てる必要がないので設置時の作業負担を軽減することができる。また、座が使用位置において基部を挟んで背まで延在し、背と使用位置の座とが連続的な凹曲面形状を形成しているので着座者の臀部から腰部にかけての曲面に沿ったものとなり、座と背との間に大きな隙間を生じることなく人間工学に基づいた座り心地の良い曲面で着座者を支持することができる。更に、この座と背とが形成する滑らかな曲面は着座者に座り心地の良さそうな椅子であるとの印象を与え、デザイン（意匠）的にも優れている。その上、脚部の取り付けが一箇所（基部）のみでされるので、取り付け作業時の負担を軽減し得ると共に椅子の設置間隔（ピッチ）を容易に変更することができる。
【０００７】
ここで、前記座に前記使用位置で前記基部に当接する当接部を設け、前記基部に前記当接部と当接して前記座を前記使用位置で係止するストッパー部を設ければ、基部自体により座が使用位置で係止されることとなるので座を係止するための機構を別途設ける必要がなく、風雨に曝される屋外等での使用にも適した椅子を提供することができる。
【０００８】
また、前記座を前記使用位置から前記起立位置に向けて常時付勢する付勢手段を具え、前記付勢手段を前記座の内部に収納すれば、椅子をシンプルな形状に保ちつつ、付勢手段を外部に曝すことなく座が自動的に起立位置に跳ね上がる、屋外等での使用に適した座自動起立式の椅子を提供することができる。なお、前記付勢手段は座の背面にリブ等を設けてそのリブの内部に収納しても良い。このようにすれば、リブにより座を補強すると共に、座全体を肉厚にすることなく高いデザイン性を維持したまま付勢手段を収納することができる。また、付勢手段により座が自動で跳ね上がる起立位置を、例えば座が略水平の使用位置から跳ね上げられて略垂直に至るまでの２／３から３／４起立した任意の位置とすれば、着座者の両手が塞がっている場合でも手を使わずに臀部で容易に座を押し下げて着座することができる。
【０００９】
更に、前記付勢手段に小型かつ軽量な装置であるガススプリングを用いれば、座が重くなりすぎることがなく、また、座が滑らかに起立するように起立スピードを調整できる。これにより、軽量で、滑らかに座が起立する品質の良い椅子を提供することができる。
【００１０】
その上、前記基部を前記脚部に対して水平方向に旋回可能に連結すれば、観客席の列が曲線を形成するような、略円形の競技場を囲んで配置された観客席でも、各椅子が競技場の中心を向くように観客席列の曲線の曲率に合わせた微妙な向きに椅子の設置方向を調整することができる。これにより、複数の座席の向きを同時に変更する椅子の旋回手段のような、複雑かつ部品点数の多い構造を設けることなく座席の観覧機能を向上させることができる。また、座席配置の設計自由度も向上させることができる。
【発明を実施するための最良の形態】
【００１１】
以下に、本発明の座跳ね上げ式椅子の実施形態を実施例により、図面に基づき詳細に説明する。ここに、図１（ａ）、（ｂ）、（ｃ）は、本発明にかかる座跳ね上げ式椅子の第１実施例の、座が使用位置に位置する状態を示す平面図、正面図、および側面図であり、図２（ａ）、（ｂ）、（ｃ）は、図１に示す第１実施例の座跳ね上げ式椅子の、座が起立位置に位置する状態を示す平面図、正面図、および側面図であり、図３は、図１（ｂ）のＡ−Ａ線に沿う断面を示す端面図である。また、図４は、第１実施例の座跳ね上げ式椅子の座の位置とガススプリングの状態との関係を示す説明図であり、図５（ａ）、（ｂ）および図６（ａ）、（ｂ）は、それぞれ第１実施例の座跳ね上げ式椅子の組立て方法を示す正面側および側面側から見た説明図であり、図７は第１実施例の座跳ね上げ式椅子の配置例を示す平面図である。
【００１２】
図１（ａ）〜（ｃ）、図２（ａ）〜（ｃ）、および図７に示すように、この第１実施例の座跳ね上げ式椅子１は、例えばアリーナの段床７に設置され、背２と、背２の下端部中央に設けられた基部３と、背２の前方で座シャフト４０により基部３に支持された座４とを有し、基部３は段床７に設けられた連結管６に取り付け固定（ビームマウント）されている。なお、椅子およびその各部について上下・左右・前後等というときは、当該椅子に前向きに着座した人から見ての方向を意味する。
【００１３】
ここで、図３に示すように、背２は、断面「く」字状をなす板状体で、例えばポリプロピレン製のインジェクション成形品より成る。このように断面が「く」字状であるので、着座者の腰部から背中にかけて人体構造に適合した形状で支持することができる。
【００１４】
また、基部３は、断面略台形状で、背２の下端部中央で前方に向かって突出しており、例えばインジェクション成形で背２と一体に成形されている。図５（ａ）、（ｂ）および図６（ａ）、（ｂ）に示すように、基部３は、底面中央付近に直方体状にくり抜かれた凹部３０を有し、基部３の底面を覆う板と凹部３０に嵌合する断面四角形状の突出部３３とを有する背座ベース３２が取り付けられている。また、基部３の上部前側には上述の座シャフト４０を挿通する孔４８が設けられており、座シャフト４０は背座ベース３２の突出部３３にボルト１００で固定されている。これにより、座シャフト４０を基部３に回転不能に支持できると共に、背座ベース３２と背座クランプ（図示せず）とで連結管６を挟持することで椅子１を設置することができる。更に、基部３は前面が段状になっており、その段状部分が座４に設けられた後述の当接部４７と係合するストッパー部３１として機能する。
【００１５】
座４は、略四角形状の板状体で、ポリプロピレン製のインジェクション成形品より成り、座４の底面には二つのリブ５と当接部４７とが設けられている。リブ５は、外形が横から見て略三角形状で後部が前部より厚くなっており、各リブ５には座ブッシュ４９を介して座シャフト４０を挿通する孔４８が設けられている。更に、一方（図５（ａ）では右側）のリブ５には後部から前方に向かって略円柱形状の空間４２が設けられており、その空間４２内に座シャフト４０と連結されたガススプリング４３が収納されている。当接部４７は、断面略三角形状で、使用位置の座４が基部３に当接する略半円筒状の面（座４の後部側の面）が基部３のストッパー部３１の段状部分と係合する構造になっており、ストッパー部３１との当接時の衝撃を軽減するためにゴム（図示せず）が当接面に接着されている。これにより、座シャフト４０を挿通して座４を揺動可能に基部３に支持すると共に、当接部４７およびストッパー部３１により、座４の揺動範囲（起倒範囲）を跳ね上げられた起立位置と略水平の使用位置との間の範囲に規定することができる。また、座シャフト４０とガススプリング４３とが後述のように、取付部４１を介して連結されているので、椅子１の不使用時にはガススプリング４３により座４が起立位置まで自動的に跳ね上がる。
【００１６】
すなわち、ここにおけるガススプリング４３は、シリンダー４４と、ピストンロッド４５と、そのピストンロッド４５の先端に設けられたブッシュ４６とを具える。そして、例えば座４が略水平の使用位置から跳ね上げられて略垂直に至るまでの２／３だけ起立した位置を起立位置とするために、その座４の起立位置でガススプリング４３のピストンロッド４５が自然長となるように調整したガススプリング４３を空間４２内に設置し、ブッシュ４６を座シャフト４０に取付部４１で、座シャフト４０の中心軸線に対しオフセットさせて連結する。これにより、図４に示すように、座４が起立位置から略水平の使用位置に向かって倒れるに従いピストンロッド４５がシリンダー４４に押し込まれ、座４が使用位置から起立位置に向かって付勢されることになる。
【００１７】
座シャフト４０は、端部近傍にガススプリング４３のブッシュ４６と連結される卵ラグ状の取付部４１を有する円筒体よりなり、例えば鋼管により形成されている。そして座シャフト４０は、椅子１の組立て方法について後述するように、基部３の孔４８と座４の孔４８とに挿通されて座４を支持すると共に、取付部４１でガススプリング４３と連結されて座４の自動起立を可能としている。
【００１８】
以上のような椅子１の組立ては、以下のようにしてなされる。まず、図５（ａ）、（ｂ）に示すように、基部３の凹部３０に背座ベース３２を取り付けると共に、座４のリブ５に設けられた各孔４８に座ブッシュ４９を取り付け、空間４２にガススプリング４３を挿入する。そして、ガススプリング４３のブッシュ４６を避けながら、座シャフト４０を背座ベース３２の上側を通して座４および基部３の孔４８に挿通する。次に、図６（ａ）、（ｂ）に示すように、ガススプリング４３のブッシュ４６を座シャフト４０の取付部４１にネジ１０１で連結すると共に、座シャフト４０を背座ベース３２の突出部３３にボルト１００で固定する。
【００１９】
これにより、図４に示すように、起立位置（図４にＢで示す位置）から使用位置（図４にＡで示す位置）に向けて座４を倒すことでガススプリング４３が空間４２の奥の壁５２に当接してシリンダー４４内にピストンロッド４５が押し込まれるので、座４が起立位置に向けて付勢されることとなり、椅子１の不使用時には座４が起立位置まで自動的に起立する。また、ガススプリング４３は空間４２内に固定されておらず空間４２内で摺動可能とされていて、起立位置で自然長となるので、外部から座４に力を加えることにより起立位置から略垂直の収納位置（図４にＣで示す位置）に向けて座４を更に跳ね上げることができる。この際には、図４の収納位置にある座４と共に示されるように、ガススプリング４３のシリンダー４４の先端と空間４２の奥の壁５２との間に隙間が生じる。
【００２０】
また、実施例１の椅子１によれば、座４を背２の下端部中央に設けられた基部３で支持しているので、座４が使用位置において基部３を間に挟んで基部３の両側方を通って背２まで延在することとなり、図３に示すように、使用位置の座４と背２とが大きな隙間を生じることなく着座者の臀部から腰部にかけての曲面に沿った連続的な凹曲面を形成し、人間工学に基づいた着座に適した凹曲面で着座者を支持することができる。更に、背２および座４の両側方に座支持部材を設ける必要が無いので、部品点数を削減できると共に組立て作業を容易にすることができる。
【００２１】
その上、椅子１は基部３に取り付けられた背座ベース３２と背座クランプ（図示せず）とで連結管６を挟持することにより支持されているので、連結管６との取り付け部分が一箇所で済むのに加えて、例えば背座クランプ（図示せず）に対する背座ベース３２の取り付け角度を変更することで、椅子１を連結管６に対して水平方向に旋回させた角度で取り付けることができる。これにより、水平方向に旋回させた角度での取り付けができない従来技術にかかる椅子１’では、図８（ａ）に示すような直線的配置による折れ曲がり部分や、図８（ｂ）に示すような曲線的配置（例えば、半径＝６ｍ）によるつなぎ部分で無駄な隙間Ｇが生じたり、無駄な隙間Ｇが生じないように椅子１の取付部品に工夫を施したりする必要があったのに対し、本実施例の椅子１では、図７に示すように無駄な隙間Ｇを生じることがなく、また椅子１の前方の空間も大きく確保することができる。また、各椅子１を容易に水平方向に旋回させて取り付け可能であるので、複雑な旋回機構を設けることなく容易に各座席の向きを変更して座席の観覧機能を向上させることができる。
【００２２】
図９（ａ）、（ｂ）は、本発明にかかる座跳ね上げ椅子の第２実施例を示す。この椅子１は、例えば移動観覧席等に用いることができ、肘掛部８が設けられている点、背座クランプ５０の形状が異なる点、および椅子１全体を略水平になるように倒して収納位置とする回動機構９が具えられている点において先の実施例と異なり、他の点では先の実施例と同様に構成されている。
【００２３】
ここで肘掛部８は、背２および座４の両側で連結管６に取り付けられた肘支柱８１と、略垂直の収納位置と略水平の使用位置との間で揺動可能に肘支柱８１の先端に支持された略三角形状の肘掛８２とを具える。これにより、椅子１の使用時には図９（ａ）に示すように肘掛部８が肘掛８２を略水平の使用位置にして着座者の肘を支持可能にすると共に、椅子１を収納する際には図９（ｂ）に示すように肘掛８２を跳ね上げて椅子１をコンパクトに収納することができる。
【００２４】
背座クランプ５０は、例えば図１０に示すような平面形状をしており、背座ベース３２の下面に円弧形状の孔５１を用いてボルト１００で取り付けられて連結管６を挟持する。ここで、孔５１が円弧形状であるので、基部３側のボルト１００が挿入される孔の位置を円弧上の任意の位置とすることができ、ボルト１００を緩めて基部３を水平方向に旋回させることで容易に背２および座４の向きを変えることができる。
【００２５】
回動機構９は、例えば連結管６の下部に設けられており、連結管６の下部でこの連結管の延在方向に互いに間隔をあけて伸びる二本の支柱９０と、支柱９０を略垂直の起立位置と略水平の収納位置との間で揺動可能に支持する側板９１とを有する。そして、略四角形状の側板９１には凹部９２が設けられており、収納椅子１の使用時には図９（ａ）に示すように、支柱９０の側部に設けられた突出部９３を凹部９２に係合させることで椅子１を固定し、収納する際には椅子１を上方に少し持ち上げて係合を解除し、図９（ｂ）に示すように、椅子１を前方に倒せるようにしている。
【００２６】
これにより、椅子１を収納位置とする場合には、床段７の床面と接した座４および肘掛部８が椅子の自重により収納位置まで跳ね上がりコンパクトな形状となる。また、先の実施例と同様に、座４が使用位置から起立位置まで自動的に起立し、使用位置では人間工学に基づいた着座に適した凹曲面で着座者を支持することができ、複雑な旋回機構を設けることなく容易に各座席の向きを変更して座席の観覧機能を向上させることができる座跳ね上げ式椅子を提供することができる。
【００２７】
なお、本実施例の製造方法以外に、背２および座４は例えばナイロンのプレス成形やアルミダイキャストにより作製しても良い。更に、付勢手段には、圧縮スプリングやトーションバネを用いても良く、その収納位置も座４のリブ５ではなく背２や基部３の内部に収納するようにしても良い。このように付勢手段を背２や基部３の内部に収納すれば、座４を軽量化して少ない力でも自動起立させることができる。更に、背座クランプ５０の孔５１の形状は任意の形を取ることができ、椅子１を向ける方向に応じた位置に孔を設けるようにしても良い。その他にも、ストッパーや回動機構には周知の手段を採用し得る。
【産業上の利用可能性】
【００２８】
かくして、本発明の座跳ね上げ式椅子によれば、座が背の下端部中央に設けられた基部に支持されているので、背および座の両側面に座支持部材を設ける必要が無い。これにより、部品点数およびコストを削減することができると共に、設置現場において座支持部材と座および背とを組み立てる必要がないので設置現場での作業負担を軽減することができる。また、座が使用位置において基部の両側方を通って背まで延在し、背と使用位置の座とが連続的な凹曲面形状を形成しているので、座と背との間に大きな隙間を生じることなく人間工学に基づいた座り心地の良い曲面で着座者を支持することができる。更に、この座と背とが形成する滑らかな曲面は着座者に座り心地の良さそうな椅子であるとの印象を与え、デザイン（意匠）的にも優れている。その上、脚部の取り付けが基部との一箇所のみであるので、取り付け作業時の負担を軽減し得ると共に椅子の設置間隔（ピッチ）を容易に変更することができる。
【図面の簡単な説明】
【００２９】
【図１】本発明にかかる座跳ね上げ式椅子の第１実施例の、座が使用位置にある状態を示し、（ａ）はその平面図、（ｂ）はその正面図、（ｃ）はその側面図である。
【図２】本発明にかかる座跳ね上げ式椅子の第１実施例の、座が起立位置にある状態を示し、（ａ）はその平面図、（ｂ）はその正面図、（ｃ）はその側面図である。
【図３】図１に示す座跳ね上げ式椅子の、図１（ｂ）のＡ−Ａ線に沿う断面を示す端面図である。
【図４】本発明にかかる座跳ね上げ式椅子の第１実施例の、各位置にある座についてガススプリングの状態を示す説明図である。
【図５】本発明にかかる座跳ね上げ式椅子の第１実施例の、座ブッシュ、ガススプリング、および座シャフトの組み付け方法を示し、（ａ）はその正面から見た説明図、（ｂ）はその側面から見た説明図である。
【図６】本発明にかかる座跳ね上げ式椅子の第１実施例の、ガススプリング取付ネジ１０１および座シャフトの固定方法を示し、（ａ）はその正面からみた説明図、（ｂ）はその側面から見た説明図である。
【図７】本発明にかかる座跳ね上げ式椅子の第１実施例の、椅子の配置状態を示す平面図である。
【図８】（ａ）、（ｂ）は、従来技術にかかる座跳ね上げ式椅子の配置状態を示す平面図である。
【図９】本発明にかかる座跳ね上げ式椅子の第２実施例を示し、（ａ）は各部が使用位置にある状態を示す側面図、（ｂ）は各部が収納位置にある状態を示す側面図である。
【図１０】本発明にかかる座跳ね上げ式椅子の第２実施例の背座クランプを示す平面図である。
【符号の説明】
【００３０】
１  椅子
２  背
３  基部
４  座
５  リブ
６  連結管
７  段床
８  肘掛部
９  回動機構
３０  凹部
３１  ストッパー部
３２  背座ベース
３３  突出部
４０  座シャフト
４１  取付部
４２  空間
４３  ガススプリング
４４  シリンダー
４５  ピストンロッド
４６  ブッシュ
４７  当接部
４８  孔
４９  座ブッシュ
５０  背座クランプ
５１  孔
５２  壁
８１  肘支柱
８２  肘掛
９０  支柱
９１  側板
９２  凹部
９３  突出部
１００  ボルト
１０１  ネジ
Ｇ  隙間
【図１】
0004805246.tif 000002
【図２】
0004805246.tif 000003
【図３】
0004805246.tif 000004
【図４】
0004805246.tif 000005
【図５】
0004805246.tif 000006
【図６】
0004805246.tif 000007
【図７】
0004805246.tif 000008
【図８】
0004805246.tif 000009
【図９】
0004805246.tif 000010
【図１０】
0004805246.tif 000011